(57)【要約】【課題】伝送線路上の同相電流成分を低減し、伝送線路長に応じた高周波の輻射を抑制することができる。【解決手段】リーダライタ３１には、伝送線路Ｌ１１，Ｌ１２の間にコモンモードチョークコイル５１が挿入されている。コモンモードチョークコイル５１には、伝送線路Ｌ１１を流れるドライブ電流と伝送線路Ｌ１２を流れるドライブ電流との絶対値の相違分の電流Ｉｃ（同相の電流成分）により、互いに打ち消し合う方向に磁束が発生するので、電流Ｉｃは低減する。すなわちその結果、ループアンテナ１１からの、電流Ｉｃによる高周波の輻射が抑制される。【選択図】      図４
2004222121.tif 000002
【特許請求の範囲】
【請求項１】
電磁誘導を利用した通信を行うアンテナを、送信されるデータを表す送信データ信号と送信キャリア信号に基づく差動出力により駆動させる駆動回路を備える通信装置において、
前記アンテナには、伝送線路上の同相電流成分を打ち消す素子が挿入されている
ことを特徴とする通信装置。
【請求項２】
前記素子は、コモンモードチョークコイルである
ことを特徴とする請求項１に記載の通信装置。
【請求項３】
前記通信装置は、非接触ＩＣカードに対してデータの読み書きを行うリーダライタである
ことを特徴とする請求項１に記載の通信装置。
【発明の詳細な説明】
【０００１】
【発明の属する技術分野】
本発明は、通信装置に関し、特に、差動出力により駆動するアンテナの伝送線路上の同相電流成分を打ち消して、高周波の輻射を抑制する通信装置に関する。
【０００２】
【従来の技術】
図１は、従来のリーダライタ１の構成例を示している。
【０００３】
アンテナ駆動回路１２は、送信キャリア供給部１３から入力された送信キャリア信号に対して、送信データ供給部１４から入力された送信データに基づいて変調処理を施し、その結果得られた電流をドライブ電流としてループアンテナ１１に出力する。
【０００４】
具体的には、送信キャリア供給部１３からの送信キャリア信号は、アンテナ駆動回路１２のインバータ３１、インバータ３４、およびインバータ３５にそれぞれ入力され、そこで振幅の正負が反転される。インバータ３１の出力信号は、インバータ３２およびインバータ３３に入力され、そこで振幅の正負がさらに反転される（元に戻される）。
【０００５】
送信データ供給部１４からの送信データ信号は、インバータ３３およびインバータ３５のスリーステートコントロール端子にそれぞれ入力され、インバータ３３，３５のイネーブル／ディセーブル状態を決定する。
【０００６】
インバータ３２からの出力信号（振幅の正負が反転されていない送信キャリア信号）とインバータ３３からの出力信号（振幅の正負が反転されていない送信キャリア信号）は、接点ａにおいて重畳されるが、このときのインバータ３３の状態（イネーブルまたはディセーブル）によって、ＡＳＫ（Ａｍｐｌｉｔｕｄｅ  Ｓｈｉｆｔ  Ｋｅｙｉｎｇ）変調される。
【０００７】
インバータ３４からの出力信号（振幅の正負が反転された送信キャリア信号）とインバータ３５からの出力信号（振幅の正負が反転された送信キャリア信号）は、接点ｂにおいて重畳されるが、このときのインバータ３５の状態（イネーブルまたはディセーブル）によって、ＡＳＫ変調される。
【０００８】
接点ａおよび接点ｂにおいて重畳された信号は、それぞれループアンテナ１１に出力される。すなわち、ループアンテナ１１には、接点ａおよび接点ｂを介して、絶対値の等しい逆極性の電流（差動出力）がドライブ電流として出力される。ループアンテナ１１からは、その電流に応じた電磁波が放出される。ループアンテナ１１は、コイル２１とコンデンサ２２からなる共振回路を有している。
【０００９】
ところで、ループアンテナ１１に供給されるこのドライブ電流は、アンテナ駆動回路１２、給電パターン、伝送線路、またはループアンテナ１１自身の非対称性により、接点ａと接点ｂのそれぞれにおける絶対値が相違することがある。
【００１０】
すなわちドライブ電流からは、図２に示すように、接点ａと接点ｂのそれぞれにおける絶対値の相違分の電流Ｉｃ（同相電流）を抽出することができる。その結果、伝送線路Ｌ１，Ｌ２はモノポールアンテナを構成し、その長さに応じた高周波を輻射する。なお、ループアンテナ１１の経路もアンテナ化することもある。
【００１１】
【発明が解決しようとする課題】
このようにリーダライタ１が高周波を輻射すると、近年において提案されている、リーダライタ１が搭載されている携帯電話機などの無線通信機器（図示せず）（特許文献参照）において、その高周波が受信波の妨害波となり、受信性能が著しく低下するなどの問題があった。
【００１２】
本発明はこのような状況に鑑みてなされたものであり、ドライブ電流の絶対値の相違をなくすことによって、高周波の輻射を抑制するものである。
【００１３】
なお、ループアンテナ１１は、電磁誘導を利用して電磁波を輻射するので、その設計においては、電界を効率よく発生させるために、開口面積の確保が重要とされている。また送信キャリアが１３．５６ＭＨｚという無線通信の中では比較的低い周波数であり、輻射される高周波は、図３に示す電波法の規定を十分満たしている。すなわちこのような理由から、従来においては、伝送経路長に応じた高周波の輻射を抑制することは、注目されておらず、上述したような問題を解決するための技術が開発されていなかった。
【００１４】
【特許文献】
特開平１１−２１３１１１号公報
【００１５】
【課題を解決するための手段】
本発明の、電磁誘導を利用した通信を行うアンテナを、送信されるデータを表す送信データ信号と送信キャリア信号に基づく差動出力により駆動させる駆動回路を備える通信装置のアンテナには、伝送線路上の同相電流成分を打ち消す素子が挿入されていることを特徴とする。
【００１６】
素子を、コモンモードチョークコイルとすることができる。
【００１７】
通信装置を、非接触ＩＣカードに対してデータの読み書きを行うリーダライタであとすることができる。
【００１８】
【発明の実施の形態】
図４は、本発明を適用したリーダライタ３１の構成例を示している。このリーダライタには、伝送線路Ｌ１１，Ｌ１２の間にコモンモードチョークコイル５１が挿入されている。他の部分については、図１における場合と同様であるので、説明は省略する。
【００１９】
コモンモードチョークコイル５１には、伝送線路Ｌ１１を流れるドライブ電流と伝送線路Ｌ１２を流れるドライブ電流との絶対値の相違分の電流Ｉｃ（同相の電流成分）により、互いに打ち消し合う方向に磁束が発生するので、電流Ｉｃは低減する。その結果、ループアンテナ１１からの、電流Ｉｃによる高周波の輻射が抑制される。
【００２０】
【発明の効果】
本発明によれば、伝送線路長に応じた高周波の輻射を抑制することができる。
【図面の簡単な説明】
【図１】従来のリーダライタの構成例を示すブロック図である。
【図２】伝送線路のモノポールアンテナ化を説明する図である。
【図３】電波法の内容を示す図である。
【図４】本発明を適用したリーダライタの構成例を示すブロック図である。
【符号の説明】
３１  リーダライタ，  ５１  コモンモードチョークコイル
【図１】
2004222121.tif 000003
【図２】
2004222121.tif 000004
【図３】
2004222121.tif 000005
【図４】
2004222121.tif 000006